(57)【特許請求の範囲】
【請求項１】
斜面に井桁を敷設し、井桁の間隙に植生基材を設けて緑化する方法において、ブロック状の固形植生基材を井桁の間隙に充填して該間隙を覆い、該固形植生基材を介して植物を生育させることを特徴とする井桁擁壁の緑化方法。
【請求項２】
固形植生基材の側面が傾斜して形成されており、該傾斜面を介して固形植生基材が押圧設置される請求項１に記載の緑化方法。
【請求項３】
固形植生基材が分割自在である請求項１または２に記載の緑化方法。
【請求項４】
固形植生基材がパーライトを主成分とする請求項１〜３のいずれかに記載の緑化方法。
【請求項５】
固形植生基材に植物種子が固定されている請求項１〜４のいずれかに記載の緑化方法。
【請求項６】
固形植生基材に植物苗を植え付けるための窪みが形成されている請求項１〜５のいずれかに記載の緑化方法。
【発明の詳細な説明】
【０００１】
【産業上の利用分野】
本発明は、斜面に形成された井桁擁壁の緑化方法に関し、より詳しくは、斜面を安定化するために敷設された井桁擁壁に植生を施して自然の景観を維持する場合に、施工が容易で、しかも植生が安定な緑化方法に関する。
【０００２】
【従来技術】
斜面に井桁を敷設し、この井桁の間隙に植生を施して斜面を安定化すると共に自然の景観を維持する工法が広く実施されている。この植生工法によれば斜面を植物で覆うことにより雨水などによる土壌の浸蝕流亡が防止され、また植物の根系による土壌粒子の結合によって土壌が一層安定化し、併せて緑化による美観を得ることができる。
【０００３】
上記緑化工法として従来は、  （ａ）植物の種子や肥料を含む土壌をスラリー状にして斜面に吹付ける方法、  （ｂ）土のうを斜面に敷設して植生を行う方法、（ｃ）  肥料や植物種子を付着させた植生ネット、あるいは肥料や植物種子を土壌と共に網袋に詰めた植生基材を敷設する方法、（ｄ）  肥料や植物種子を土壌と共にパネル状に成形した植生基材を敷設する方法などが実施されている。
【０００４】
【従来技術の問題点】
ところが、上記吹付け工法（ａ）  は圧縮空気を用いるために騒音が激しく、また跳返りや流亡による損失も多いなどの問題がある。また土のうを用いる工法（ｃ）  は土のう袋に土壌を詰め込む作業が必要であるため作業が繁雑となり長期化し、土のうの重量も比較的大きいので作業効率が悪い。さらに土のうはアンカーなどで地面に固定するものの袋内部の土壌は固定されていないので施工後に降雨等の浸水により軟化や流動等による変形を生じ、井桁間隔から落下する場合が暫々ある。この問題は袋状の植生基材を用いる方法（ｃ）  でも同様である。一方、パネル状の植生基材を用いる方法（ｄ）  は植生基材が軽量であるため斜面に敷設後の安定性に乏しく、個々にアンカーなどによって斜面に固定する必要があるなど施工の手間がかかる。
【０００５】
【発明の解決課題】
本発明の緑化工法は、このような従来の方法における問題を解決するものであり、降雨等による植生基材の変形を防止し、井桁間隙から脱落する虞がなく、しかも施工が容易で工期および施工費用を大幅に軽減できる緑化方法を提供することを目的とする。
【０００６】
すなわち、本発明によれば以下の構成からなる井桁擁壁の緑化方法が提供される。
（１）斜面に井桁を敷設し、井桁の間隙に植生基材を設けて緑化する方法において、ブロック状の固形植生基材を井桁の間隙に充填して該間隙を覆い、該固形植生基材を介して植物を生育させることを特徴とする井桁擁壁の緑化方法。
（２）固形植生基材の側面が傾斜して形成されており、該傾斜面を介して固形植生基材が押圧設置される上記（１）  に記載の緑化方法。
（３）固形植生基材が分割自在である上記（１）  または（２）  に記載の緑化方法。
（４）固形植生基材がパーライトを主成分とする上記（１）〜（３）  のいずれかに記載の緑化方法。
（５）固形植生基材に植物種子が固定されている上記（１）  〜（４）  のいずれかに記載の緑化方法。
（６）固形植生基材に植物苗を植え付けるための窪みが形成されている上記（１）  〜（５）  のいずれかに記載の緑化方法。
【０００７】
【具体的な説明】
以下に、図面を参照して本発明を具体的に説明する。図１および図３は本発明に基づいて斜面に施工した井桁擁壁の外観図であり、図２はその部分断面図、図４は使用した植生基材の一例を示す概略斜視図である。
【０００８】
本発明の方法は、井桁の間隙に対応してブロック状に成形された固形植生基材を用いる緑化方法である。ここでブロック状とは、表面に対して十分な厚さを有し、斜面に敷設した際に側面を下側にして自重によって支えられるものを言う。外周の形状は井桁の間隙に対応したものであれば良く、また２以上の部分に分解可能に形成されたものでも良い。
【０００９】
図１に示すものは、井桁擁壁１０の梁材１１が横方向に伸び、結合部１２によって上下に連結されている例であり、上下の梁材１１の間に間隙が横に延びて形成されており、この間隙は植生基材１３によって充填されている。また図２に示すものは、横に延びる下側の梁材１４によって上側の枠材１５を上下に連結した例であり、枠材１５の間に植生基材１６が充填されている。植生基材１３、１６はいずれもブロック状をなし、植生基材１３はやや横長の矩形をなす複数のブロックからなり、また植生基材１６は枠材によって形成された間隙に一致する表面外形を有している。
【００１０】
上記植生基材は、井桁の間隙に敷設した際、自重によってそれ自体支えられるが、より安定性を増すために、基材表面に向かって側面を傾斜させ、この傾斜側面を介し井桁の枠材によって押圧される構造を採ることができる。その一例として、図３のものは、井桁の枠材２０の上下端面２１が裏側に向かって傾斜し、一方、この枠材２０によって上下に挟まれる植生基材２２の上下側面には枠材２０の傾斜に対応する傾斜が形成されている。この構造によれば、井桁の間隙に植生基材２２を敷設した際、上記傾斜面を介して枠材２０によって植生基材２２が下側に押圧されるので植生基材２２が安定に設置でき、擁壁表面から脱落する虞がない。
【００１１】
また井桁の枠材に係合する部分を植生基材に形成して安定性を高めても良い。図４の例は、植生基材１６の下端面に井桁の枠材１４に係合する段差１７を形成した例であり、その張出し部分１８を井桁枠材１５の下側に突き出して敷設することにより張出し部分１８が地面の敷石と枠材１５の間に挟まれた状態となるので植生基材の安定性が格段に高くなる。なお、上記傾斜面や段差などの押圧係合手段は分解可能に形成した植生基材の各部分の間に形成することもできる。
【００１２】
上記植生基材は植物生育用の土壌をブロック状に成形したものであり、土や砂などの天然土壌のほか人工軽量土壌などによって形成されており、好ましくは、あらかじめ植物種子が培土や肥料と共に固定されたものが用いられる。植物種子や培土および肥料などは種子が発芽し成長し易いように基材の表面側に多く固定すると良い。この植生基材は施工後に植物種子を植え込む必要がなく、降雨などによる水分の供給のみで植物が発芽生育するので、施工が簡単であると共に植生の管理も容易である。
【００１３】
また、植生基材の表面に植物の苗を植え込む窪みを形成したものを用いても良い。この場合には、植物がある程度成育しているので、種子の発芽や育成に要する手間がかからず、擁壁の景観も早期に整う利点がある。また種子での繁殖が困難な植物にも利用できるので、例えば花草を用いた緑化も可能になる。
【００１４】
上記植生基材の施工手順としては、擁壁の枠材を井桁に組み立てると共に枠材によって形成される間隙に植生基材を敷設してもよく、あるいは斜面の所定面積に予め井桁擁壁を形成した後に、その間隙に植生基材を充填しても良い。
井桁枠材の形状は制限されず、各種形状の枠材を使用することができる。なお図１には、上端面の背部に凸部１８が形成された枠材を用いた例を示したが、この例では植生基材裏側の空隙１９は排水溝として利用できる。
【００１５】
上記植生基材の好適な例として、パーライトを主成分としたもの、あるいはパーライトとピートモスを主成分としたものが挙げられる。具体的には  （ａ）パーライト、パルプ、水硬性石膏、シリカゾルまたはシリカ−アルミナ複合ゾルおよび水との混合物を脱水成形し、乾燥してなる成形体、  （ｂ）上記成形体に緩効性肥料を含有させた成形体、  （ｃ）上記成形体（ａ），（ｂ）  に植物の種子を含有させた成形体およびこれら成形体（ａ）  〜（ｃ）  にピートモスを含有させたものが好適に用いられる。
【００１６】
パーライトは、真珠岩を粉砕後焼成し、あるいはさらに焼成後にも粉砕して得られる真珠岩パーライトや黒燿石パーライトであり、植生基材の材料としては粒径は１０ｍｍ以下、好ましくは，５ｍｍ以下が適当であり、嵩比重は０．０５〜０．３、好ましくは０．１〜０．２が適当である。また、パーライトにひる石を焼成したバーミキュライト、頁岩を粉砕または粉砕と造粒して焼成した膨脹頁岩、軽石、造粒焼成した珪藻土等を嵩比で１：１まで混入して使用することができ、これにより通気性が向上し、また植物の成育に必要な養分が保持される間隙が多数形成される。黒土、腐葉土等の天然土壌をパーライトに嵩比で１：１まで混入しても良い。
【００１７】
パルプとしては、針葉樹や広葉樹の木材パルプのほかに綿パルプや藁パルプ等を用いることができる。これらのパルプは解繊して用いるのが好ましい。また、新聞紙、古雑誌等の故紙を解繊したものを用いればコストを低くでき、資源の有効活用にもなる。パルプの使用割合は、パーライトに対して１〜２０重量％、好ましくは３〜１０重量％が適当である。
【００１８】
水硬性石膏としては、α型およびβ型半水石膏、さらにナトリウム等の刺激剤を添加することにより無水石膏の利用も可能である。上記半水石膏の使用量は、パーライトに対し１０〜５００重量％、好ましくは５０〜２００重量％が適当である。
【００１９】
シリカゾルは粒径３〜１００ｎｍの微小シリカを水に分散させたコロイド液であり、粒子表面の電気二重層により粒子相互の結合を防いで安定化している。アルカリ性領域あるいは酸性領域で安定化しているものがあるが、いずれも使用することができる。シリカ−アルミナ複合ゾルは、シリカとアルミナとからなるゼオライト構造を有する微小粒子を水に分散させたコロイド液である。これらのゾルの使用量は、パーライトに対してＳｉＯ２  として１〜１００重量％、好ましくは１０〜５０重量％が適当である。
これらの水硬性石膏および上記ゾルは成形体の結合剤ないし硬化剤であり、成形体の形状を維持し強度を高める。
【００２０】
緩効性肥料としては、窒素、リン酸、カリウムのほかにマグネシウム、マンガン、鉄、硼素、モリブデン、銅、亜鉛などの微量成分を含有した肥料を造粒し、樹脂や生分解性の物質でコーティングした緩効性肥料が知られており、これを混合して用いることができる。緩効性肥料の添加量は、肥料効果の持続時間や各栄養素の含有比率は導入する植物の種類によって適宜選択すれば良い。
【００２１】
また、植物生育をより良くするためにピートモスをパーライトに対して５〜１５重量％添加すると良い。ピートモスはミズゴケやアシ類などが堆積してできた有機用土であり、保水性が高く腐葉土の代用にもなる。なお酸性の強いものは石灰で中和して用いると良い。
【００２２】
実施例１
平均傾斜６３度の斜面に、図１に示す井桁擁壁を形成し、井桁の間隙にブロック状の固形植生基材を充填した。該植生基材の形状は縦２０〜２１ｃｍ、横４０〜４１ｃｍ、奥行き１２〜１４ｃｍの直方体であり、重量約２〜２．２ｋｇのものを用いた。また植生基材は次のようにして製造したものを使用した。
まず、広葉樹パルプを解繊して得たパルプ含有量４重量％のパルプ液２．７ｋｇに水７．８ｋｇを加えて分散させ、これにパーライト（市販品）１．７ｋｇを撹拌しながら少しずつ加え、次いでピートモス１７０ｇとβ型半水石膏を添加して更に撹拌して水性混合物を得た。この水性混合物スラリーを型枠に流し込み、圧縮して脱水成型後、１５０℃で含水率が３％程度まで乾燥し、さらに降温後、約１時間乾燥して人工土壌成形体を得た。これの人工土壌成形体表面にケンタッキーブルーグラスの種子を水溶性糊剤を用いて貼り付けた。
施工後、散水して生育を観察したところ、約１週間で発芽し、その後の生育も順調であった。
【００２３】
実施例２
実施例１と同様にして水性混合スラリーを調製し、植物苗を受け込む凹部を設けた形状に成形した後に、乾燥してブロック状の人工土壌成形体を得た。この成形体にブットレアおよびマツバギクの苗を植え付けたものを、実施例１と同様の擁壁に施工後、散水して苗の生育を観察したところ３〜５日で苗が根付き、その後の生育も順調で良好な開花を得た。
【００２４】
比較例
実施例１と同一の井桁形状の擁壁について、従来の土のうを用いた方法により緑化施工を行ったところ、従来の方法では施工面積２０ｍ２  あたり、土のうの袋詰め作業に１日、土のうの運搬および擁壁への張り付けに１日半、合計２日半の作業時間が必要であった。一方、実施例１の場合には、袋詰め作業は無く、植生基材を擁壁に充填する作業だけであり、この作業日数は施工面積２０ｍ２  あたり半日、従って合計作業時間が半日で足りた。
【００２５】
【発明の効果】
本発明の井桁擁壁の緑化方法によれば、植生施工は植生基材を井桁枠材の間に充填するだけで良く、ブロック状の植生基材はパネル状の植生基材と異なり、井桁枠材の間隙に嵌合され、自重によって支えられるのでアンカー等を用いて地面に固定する必要がなく、施工能率が良く、工期および施工費用が大幅に軽減される。また成形体であるので、施工後に降雨などによる浸水を受けても軟化せず流動化しないので、井桁間隙から脱落する虞がなく極めて安定性が良い。
【図面の簡単な説明】
【図１】本発明の施工例を示す井桁擁壁の概略斜視図
【図２】本発明の一例に係る井桁擁壁の部分概略断面
【図３】本発明の他の施工例を示す井桁擁壁の概略斜視図
【図４】本発明の一例に係る植生基材の概略斜視図
【符号の説明】
１０−井桁擁壁、１１−井桁梁材、１２−連結部、１３、１６−植生基材、
１４−井桁梁材、１５−枠材、１７−段差、１８−張出し部、１９−空隙、
２０−井桁枠材、２１−上下端面、２２−植生基材
【図１】
0003558305.tif 000002
【図２】
0003558305.tif 000003
【図３】
0003558305.tif 000004
【図４】
0003558305.tif 000005